(57)【要約】      （修正有）【課題】蓋部材の所定の開位置を維持し得る構成を簡単な機構で実現し得る蓋装置を提供する。【解決手段】機器に設けられる蓋装置において、機器外装の一部を覆う閉位置と該機器外装の一部を露呈させる開位置との間で揺動する蓋部１５ａと蓋部から延出する腕部１５ｂと腕部に穿設された孔部とを有する蓋部材１５と、蓋部により覆われる被覆部外の近傍部位に形成され孔部に嵌合する庇状凸部からなる抜け止め部とを具備し、孔部と抜け止め部とは、蓋部材が開位置に配置されたときには孔部と抜け止め部とは締まり嵌め状態となって蓋部材の揺動を規制して蓋部材の開位置を保持し、蓋部材が開位置以外の位置にあるときには孔部と抜け止め部とは隙間嵌め状態となって蓋部材の揺動を許容する嵌合手段を形成する。【選択図】図９
2012141511.tif 000002
【特許請求の範囲】
【請求項１】
機器に設けられる蓋装置において、
機器外装の一部を覆う閉位置と該機器外装の一部を露呈させる開位置との間で揺動する蓋部と、上記蓋部から延出する腕部と、上記腕部に穿設された孔部と、を有する蓋部材と、
上記蓋部により覆われる被覆部外の近傍部位に形成され、上記孔部に嵌合する庇状凸部からなる抜け止め部と、
を具備し、
上記孔部と上記抜け止め部とは、上記蓋部材が開位置に配置されたときには、上記孔部と上記抜け止め部とは締まり嵌め状態となって上記蓋部材の揺動を規制して該蓋部材の開位置を保持し、
上記蓋部材が開位置以外の位置にあるときには、上記孔部と上記抜け止め部とは隙間嵌め状態となって上記蓋部材の揺動を許容する嵌合手段を形成していることを特徴とする蓋装置。
【請求項２】
上記嵌合手段は、上記孔部の形状が上記蓋部材の揺動方向の径方向に突出する凸形状に形成されていることを特徴とする請求項１に記載の蓋装置。
【請求項３】
上記蓋部材の上記腕部は、合成樹脂によって形成されていることを特徴とする請求項１又は請求項２のいずれかに記載の蓋装置。
【請求項４】
上記蓋部材は、二色成形で形成された合成樹脂からなる射出成形部品からなり、上記蓋部と上記腕部とは異なる材質によって形成されていることを特徴とする請求項１〜請求項３のいずれか一つに記載の蓋装置。
【発明の詳細な説明】
【技術分野】
【０００１】
この発明は、蓋装置、詳しくは機器の外装部材の一部を開閉可能とする蓋部材と、その蓋部材の開閉機構を構成する蓋装置の構造に関するものである。
【背景技術】
【０００２】
従来、例えばカメラ等の機器は、機器の基本構成を形成する本体ユニットと、この本体ユニットの外面を覆う外装部材等によって形成されているものがある。そして、その本体ユニット内部に配設されている構成部材に対して外部からのアクセスを許容するために、外装部材の一部を開閉可能とするように形成した扉形式の蓋部材等からなる蓋装置を備えて構成されるものがある。
【０００３】
このような形態の蓋装置において、上記蓋部材は、機器の本体ユニット内に形成される電池室や記録媒体収納室等の開口部，外部機器接続用コネクタの配設部等を外部に露呈する開位置（開状態）と、これらを外部から遮蔽する閉位置（閉状態）との間で変位し得るように、例えば支持軸部（軸部材が存在するとは限らない）を中心として、本体ユニットに対して蓋部材が回動若しくは揺動可能に構成した開閉構造を有している。
【０００４】
したがって、この蓋装置は、例えば機器の通常使用時においては、蓋部材を閉位置に配置することによって、本体ユニット内部の電池室や記憶媒体収納室の開口部，外部機器接続用コネクタの配設部等を外部から遮蔽した状態とすることができる。その一方、電池や記録媒体を着脱したり、外部機器接続用コネクタに接続ケーブルのコネクタを装着して外部機器とのケーブル接続を行おうとする場合等には、蓋部材を開位置へと移動させることによって、電池室や記憶媒体収納室等の開口部，外部機器接続用コネクタの配設部等を外部に露呈させることができる。
【０００５】
扉形式の蓋部材を開閉する構成としては、蝶番を用いることが普通であるが、カメラ等の小型機器における蓋装置においては、空間の確保，部品点数の削減，組立性の向上等の観点から、蝶番やバネ部材を廃し、蓋部材とこれを支持する本体ユニット側の形状を工夫して開閉機構を実現している。この場合において、蓋部材が閉位置にあるときには、その閉位置を維持するロック機構を有しているのが普通である。一方、この閉位置ロック機構が使用者により解除された後、蓋部材が開状態とされたときには、蝶番が無いことから蓋部材が開状態で所定の位置に固定されず不安定な状態になってしまう。
【０００６】
したがって、蓋部材が開状態で所定の開位置で保持されていない場合には、蓋部材を開状態にしたときに行われる操作、例えば電池室，記録媒体収納室等への電池，記録媒体等の着脱操作や外部機器接続用コネクタへのコネクタ挿抜操作等において蓋部材自身が邪魔になり、これら操作に支障をきたす可能性があり、よって、それらの作業性が著しく低下してしまうという問題点がある。
【０００７】
従来の蓋装置においては、蓋部材を開状態としたときに、蓋部材が所定の開位置にて維持されるようにするための機構を有するものが、例えば実公昭５５−６３５７号公報等によって種々提案されている。
【０００８】
上記実公昭５５−６３５７号公報によって開示されている手段は、蓋付きケースやびん等において、ポリプロピレン等の樹脂部材をヒンジ部分に用い、その弾性を利用して蓋部材の開位置，閉位置を維持し得るように構成している。  
【先行技術文献】
【特許文献】
【０００９】
【特許文献１】実公昭５５−６３５７号公報
【発明の概要】
【発明が解決しようとする課題】
【００１０】
ところが、実公昭５５−６３５７号公報によって開示されている手段は、ポリプロピレン等の樹脂部材の屈曲が開閉操作のたびに繰り返される構成となっていることから、長期にわたって使用された場合、耐久性に不安があるという問題点がある。例えば、カメラ等の電子機器や機械製品においては、比較的長期間（例えば５年〜１０年程度）にわたって継続的に使用される可能性があることから、このような機器における蓋装置に対して上記公報等に開示される手段を採用するには問題がある。
【００１１】
また、上記公報による手段は、蓋付きケースやびん等の日常品に適用することを前提としたものであって、外観デザインや操作性についての考慮がなされていない。しかしながら、カメラ等の機器においては、高級感を持たせるために外観デザインや操作性についての考慮が必要になるので、上記公報に開示の手段等の従来の手段を採用するには不適である。
【００１２】
本発明は、上述した点に鑑みてなされたものであって、その目的とするところは、外装部材の一部を開閉可能とする蓋部材を備えたカメラ等の機器に適用する蓋装置において、外観デザインや操作性を損ねることなく、蓋部材の所定の開位置を維持し得る構成を簡単な機構で実現することのできる蓋装置を提供することである。
【課題を解決するための手段】
【００１３】
上記目的を達成するために、本発明の一態様の蓋装置は、機器に設けられる蓋装置において、機器外装の一部を覆う閉位置と該機器外装の一部を露呈させる開位置との間で揺動する蓋部と上記蓋部から延出する腕部と該腕部に穿設された孔部とを有する蓋部材と、上記蓋部により覆われる被覆部外の近傍部位に形成され上記孔部に嵌合する庇状凸部からなる抜け止め部とを具備し、上記孔部と上記抜け止め部とは、上記蓋部材が開位置に配置されたときには上記孔部と上記抜け止め部とは締まり嵌め状態となって上記蓋部材の揺動を規制して該蓋部材の開位置を保持し、上記蓋部材が開位置以外の位置にあるときには上記孔部と上記抜け止め部とは隙間嵌め状態となって上記蓋部材の揺動を許容する嵌合手段を形成していることを特徴とする。
【発明の効果】
【００１４】
本発明によれば、外装部材の一部を開閉可能とする蓋部材を備えたカメラ等の機器に適用する蓋装置において、外観デザインや操作性を損ねることなく、蓋部材の所定の開位置を維持し得る構成を簡単な機構で実現することのできる蓋装置を提供することができる。
【図面の簡単な説明】
【００１５】
【図１】本発明の一実施形態の蓋装置を備えた機器（カメラ）の全体構成を示す外観斜視図であって、蓋部材が閉位置にある状態を示す図、
【図２】本発明の一実施形態の蓋装置を備えた機器（カメラ）の全体構成を示す外観斜視図であって、蓋部材が開位置にある状態を示す図、
【図３】図１の機器（カメラ）の主要構成部材のみを示す分解斜視図、
【図４】図３の［ＩＶ］部（抜け止め部）を拡大して示す要部拡大図、
【図５】本発明の一実施形態の蓋装置における蓋部材のみを取り出して拡大して示す拡大平面図、
【図６】図５の矢印［ＶＩ］方向から見た側面図、
【図７】図５の［ＶＩＩ］−［ＶＩＩ］線に沿う断面図、
【図８】図１の機器（カメラ）の横断面図であって、蓋部材が閉位置にある状態を示す図、
【図９】図８の［ＩＸ］部を拡大して示す要部拡大図、
【図１０】図１の機器（カメラ）の横断面図であって、蓋部材が開位置にある状態を示す図、
【図１１】図１０の［ＸＩ］部を拡大して示す要部拡大図、
【図１２】本実施形態の蓋装置の主に前面側を示す外観斜視図、
【図１３】図１２の［ＸＩＩＩ］部を拡大して示す要部拡大斜視図、
【図１４】本実施形態の蓋装置において蓋部材が閉状態の正面図、
【図１５】図１４の［ＸＶ］部を拡大して示す要部拡大正面図、
【図１６】本実施形態の蓋装置において蓋部材が開状態の正面図、
【図１７】図１６の［ＸＶＩＩ］部を拡大して示す要部拡大正面図、
【発明を実施するための形態】
【００１６】
以下、図示の実施の形態によって本発明を説明する。  
本発明の一実施形態は、本発明を適用する機器として、例えば光学レンズにより形成される光学像を固体撮像素子を用いて光電変換し、これによって得られる画像信号を静止画像や動画像を表わすデジタルデータとして記録媒体に記録し、また記録媒体に記録されたデジタル画像データに基いて静止画像や動画像を表示装置に再生表示し得るように構成される撮影機器（以下、単にカメラという）を例示するものである。
【００１７】
なお、本実施形態においては、カメラの使用時に被写体に対向する面（撮影レンズの配設されている面）をカメラの前面というものとする。カメラの使用時に使用者が対面する面（表示装置の表示面が配設されている面）をカメラの背面というものとする。また、操作部材のうちシャッターレリーズボタンが配設されている面を上面というものとする。そして、カメラの上面に対向する面を底面というものとする。さらに、カメラの通常の使用状態で両側に配置される面を左側面及び右側面というものとする。この場合における左右の判別は、被写体側からカメラの前面に向かって見たときの左側又は右側をそれぞれ左又は右として区別する。
【００１８】
また、以下の説明に用いる各図面においては、各構成要素を図面上で認識可能な程度の大きさとするため、各構成要素毎に縮尺を異ならせて示している場合がある。したがって、本発明は、これらの図面に記載された構成要素の数量，構成要素の形状，構成要素の大きさの比率及び各構成要素の相対的な位置関係は、図示の形態のみに限定されるものではない。
【００１９】
まず、本発明の一実施形態の蓋装置を備えた機器であるカメラの概略構成を、図１〜図３を用いて以下に説明する。  
図１，図２は、本発明の一実施形態の蓋装置を備えた機器（カメラ）の全体構成を示す外観斜視図である。このうち、図１は、本実施形態の蓋装置における蓋部材が閉位置にある状態を示している。図２は、蓋装置における蓋部材が開位置にある状態を示している。図３は、本実施形態の蓋装置を備えた機器（カメラ）の主要構成部材のみを示す分解斜視図である。
【００２０】
本実施形態の蓋装置を備えた機器であるカメラ１は、図に示すように、前カバー１１，後カバー１２，上カバー１３，レンズ鏡筒１４と、蓋部材１５と、本体ユニット１６（図１，図２では不図示。図３参照）等を基本的な構成部材として構成されている。
【００２１】
前カバー１１は、本体ユニット１６の前面と左右側面の前面寄りの部位と底面の一部を覆うように配設される外装部材である。前カバー１１は、例えば薄板状の金属部材を加工して形成される。前カバー１１の前面の略中央部分には、略円形状の開口１１ｘが形成されている（図３参照）。この開口１１ｘには、レンズ鏡筒１４が配設される。
【００２２】
後カバー１２は、本体ユニット１６の背面と左右側面の背面寄りの部位を覆うように配設される外装部材である。後カバー１２は、例えば樹脂モールド成形品等によって形成される。後カバー１２の背面の大部分の領域にわたって開口１２ｘが形成されている（図３参照）。この開口１２ｘには、不図示の表示装置がその表示面を背面側に向けて配設される。また、後カバー１２には、図示を省略しているが、各種の操作部材等が配設される。そのために、各操作部材等に対応した複数の開口１２ａが形成されている（図３参照））。
【００２３】
上カバー１３は、本体ユニット１６の上面を覆うように配設される外装部材である。上カバー１３は、上記前カバー１１と同様に、例えば薄板状の金属部材を加工して形成される。上カバー１３には、図に示す如く、複数の操作部材、例えば電源オンオフ操作部材（押しボタン）２１，シャッターレリース操作部材（押しボタン）２２，ズーム操作部材（レバー）２３，動作モード選択操作部材（ダイヤル）２４等やアクセサリ取付部２５等が配設される。
【００２４】
レンズ鏡筒１４は、略円筒形状に形成される樹脂モールド成形品等によって形成される。レンズ鏡筒１４は、上述したように前カバー１１の開口１１ｘ，本体ユニット１６の開口１６ｘと一致する部位から前面側に向けて突出するように配設されている。レンズ鏡筒１４の外周面上には、例えば焦点調節用のピントリング等の操作部材１４ｂが光軸Ｏ（図１参照）周りに揺動自在に配設されている。また、レンズ鏡筒１４の内部には、撮影光学系を構成する複数の光学レンズ１４ａ（図１参照），該光学レンズを保持する複数の保持部材（不図示），該保持部材を光軸Ｏに沿う方向に駆動させる駆動機構等（不図示）の構成部材が配設されている。なお、レンズ鏡筒１４自体の内部詳細構成は、本発明とは直接関連しない部分であるので、従来一般のカメラに適用される構成のものが用いられているものとして、その説明は省略する。なお、レンズ鏡筒１４は、カメラ１の本体ユニット１６に対して固定配置されるレンズ固定式の形態であってもよいし、本体ユニット１６に対して着脱自在に構成されるレンズ交換式の形態であってもよい。
【００２５】
本体ユニット１６は、本カメラ１の基本構成部材の主要部を構成するものである。本体ユニット１６は、上記後カバー１２，レンズ鏡筒１４等と同様に、例えば樹脂モールド成形品等によって形成される。本体ユニット１６の内部には、各種の構成部材（不図示）、例えば本カメラ１の動作を制御する制御用回路や外部機器接続用コネクタ等を実装した回路基板等が配設されていると共に、電池室，記録媒体収納室等の空間が所定の部位に形成されている。
【００２６】
蓋部材１５は、本実施形態の蓋装置の主要構成部材であって、本実施形態に示す構成においては、本カメラ１の左側面に形成される外部機器接続用コネクタ配設部１ｚ（図２，図３参照。詳細は後述する。なお図３の符号１２ｚ，１６ｚも参照）を外部から遮蔽する閉位置（図１に示す状態）と、上記外部機器接続用コネクタ配設部１ｚを外部に露呈する開位置（図２に示す状態）との間で揺動変位自在に配設されている。
【００２７】
この場合において、蓋部材１５は、図１に示すＹ軸に沿う仮想軸線を揺動中心として、カメラ１の左側面に対しＹ軸周りに揺動自在となっている。  
ここで、カメラ１における座標軸を図１に示すＸ軸，Ｙ軸，Ｚ軸によって表わすものとする。Ｘ軸，Ｙ軸，Ｚ軸は互いに直交するように設定した方向を示している。このうちＸ軸はカメラ１の水平方向に延びる軸とする。また、Ｙ軸はカメラ１の垂直方向に平行な軸とする。そして、Ｚ軸は光軸Ｏに平行な軸とする。
【００２８】
そして、蓋部材１５は、閉位置に配置されたとき（図１の状態となったとき）には、本カメラ１の左側面の上記外部機器接続用コネクタ配設部１ｚを覆う外装部材の一部として機能する。また、蓋部材１５は、上記閉位置以外の開状態とされたときには、上記外部機器接続用コネクタ配設部１ｚ内に設けられている外部機器接続用コネクタ（不図示）に対するアクセスを許容するように構成されている。
【００２９】
なお、以下の説明において、蓋部材１５の閉位置とは、図１に示す状態のみを指すものとする。この状態においては、蓋部材１５は後述するロック機構によって該閉位置が保持されている状態にある。  
一方、以下の説明において、蓋部材１５の開位置とは、図２に示す状態のみを挿すものとする。この状態においては、蓋部材１５は後述する保持機構により該開位置が保持されている状態にある。ここで、蓋部材１５の開位置とは、該蓋部材１５が充分に開いた状態を示し、例えば外部機器接続用コネクタ配設部１ｚを充分に露呈し得る状態であって、かつ蓋部材１５が外部機器接続用コネクタへのアクセスを阻害しない状態とする規定の位置をいうものとする。
【００３０】
つまり、蓋部材１５は、上述したように、上記閉位置と上記開位置との間で揺動自在に構成され、上記閉位置と上記開位置の各位置にあるときには、揺動が規制された状態となる。したがって、蓋部材１５が上記閉位置と上記開位置の各位置にあるとき以外の状態、即ち上記閉位置におけるロック状態が解除されている状態で、かつ上記開位置における保持状態が確保されていない状態にあって、揺動自在にある場合は、単に開状態というものとする。
【００３１】
上述したように、本カメラ１の左側面には、外部機器接続用コネクタ配設部１ｚ（図２，３参照）が形成されている。この外部機器接続用コネクタ配設部１ｚには、二つのコネクタ開口１ｙ（図３参照）が設けられ、各コネクタ開口１ｙには、それぞれに各対応する外部機器接続用コネクタ、例えばＨＤＭＩ規格，ＵＳＢ規格等の接続用コネクタ等が配置されている（不図示）。
【００３２】
詳述すると、上記二つのコネクタ開口１ｙは、本体ユニット１６の左側面の一部を切り欠いて形成される切欠部１６ｙと、後カバー１２の左側面の一部を切り欠いて形成される切欠部１２ｙとによって形成される開口部である。
【００３３】
つまり、本体ユニット１６の前面側に前カバー１１を組付けると共に、本体ユニット１６の背面側に後カバー１２を組み付けることで本カメラ１を組み立てた状態としたときに、本カメラ１の左側面には、本体ユニット１６の切欠部１６ｙと、後カバー１２の切欠部１２ｙとによって二つのコネクタ開口１ｙが形成される。また、前カバー１１の左側面には、切欠部１１ｙが形成されている。この切欠部１１ｙは、前カバー１１を本体ユニット１６の前面に組付けたとき、前カバー１１によって上記二つのコネクタ開口１ｙを覆ってしまうことのないように、前カバー１１の左側面において該二つのコネクタ開口１ｙに対向する部位を切り欠いて形成されている。
【００３４】
一方、後カバー１２の左側面において、上記切欠部１２ｙの周縁部には、後カバー１２の表面に対して一段下がった凹状部１２ｚが形成されている。同様に、本体ユニット１６の左側面において、上記切欠部１６ｙの周縁部には、本体ユニット１６の表面に対して一段下がった凹状部１６ｚが形成されている。
【００３５】
この構成により、後カバー１２と本体ユニット１６とを組み合わせたときには、上述したように二つのコネクタ開口１ｙが形成されると共に、上記凹状部１２ｚと上記凹状部１６ｚとの床面は略連続した同一表面となるように所定の床面積を有する凹部が形成される。即ち、こうして上記凹状部１２ｚと凹状部１６ｚとによって形成される凹部が外部機器接続用コネクタ配設部１ｚであり、蓋部材１５によって覆われる被覆部である。
【００３６】
この外部機器接続用コネクタ配設部１ｚには、蓋部材１５が配置される（図１の状態；蓋部材１５が閉位置にある状態）。そのために、外部機器接続用コネクタ配設部１ｚのサイズ（床面積）は、蓋部材１５における遮蔽部となる蓋部１５ａと略同じサイズ（面積）となるように設定されている（詳細は後述する）。また、外部機器接続用コネクタ配設部１ｚに蓋部材１５が配置されて、該蓋部材１５が閉位置とされた状態となったとき、蓋部材１５の該表面とカメラ１の外装表面（１１，１２）とが略面一となるように、外部機器接続用コネクタ配設部１ｚの凹部深さ寸法と、蓋部材１５の厚み寸法とが設定されている。
【００３７】
他方、本体ユニット１６の左側面には、上記凹状部１６ｚの近傍に抜け止め部１６ｗが形成されている。この抜け止め部１６ｗは、本実施形態の蓋装置の一部を構成する構成部である（図３参照；詳細構成は図４によって後述する）。
【００３８】
本カメラ１の概略構成は、以上述べた通りである。なお、上述していないその他の構成は、従来一般的なカメラの構成と略同様であるので、詳細説明は省略し、本発明に直接関連する部分について以下に詳述する。
【００３９】
上記カメラ１に適用される本実施形態の蓋装置の詳細構成を、図４〜図７を用いて以下に説明する。  
図４は、図３の［ＩＶ］部（抜け止め部）を拡大して示す要部拡大図である。図５は、本実施形態の蓋装置における蓋部材のみを取り出して拡大して示す拡大平面図である。図６は、図５の矢印［ＶＩ］方向から見た側面図である。図７は、図５の［ＶＩＩ］−［ＶＩＩ］線に沿う断面図である。
【００４０】
本実施形態の蓋装置は、本カメラ１の左側面の一部、即ち外部機器接続用コネクタ配設部１ｚを開閉する蓋部材１５と、この蓋部材１５を揺動自在に支持する抜け止め部１６ｗ等とによって主に構成されている。  
まず、抜け止め部１６ｗの詳細構成を説明する。抜け止め部１６ｗは、図４に示すように、上記本体ユニット１６の左側面に一体に形成されており、上記凹状部１６ｚのＺ方向前寄り縁部から前方（Ｚ軸方向）に向けて延出するように形成された庇状凸部である。
【００４１】
抜け止め部１６ｗは、上記凹状部１６ｚ寄りの基端部１６ａと、この基端部１６ａの先端側の先端部１６ｂとによって形成されている。上記基端部１６ａの外側の面は、上記凹状部１６ｚの床面と略同一平面となるように形成されている。また、上記先端部１６ｂは、水平方向（Ｘ軸方向）に沿う面で切断した断面形状が斜面を有する略三角形状からなり、その先端鋭角となる部位がＲ形状に丸められた曲面形状に形成されている。そして、この先端部１６ｂの斜面の外面は、上記基端部１６ａの上記外側の面よりさらに外側に向けて段差部を形成している（図４参照）。この先端部１６ｂの斜面の外面は、本体ユニット１６の前面に前カバー１１が取り付けられたとき、前カバー１１の内面に当接するようになっている。
【００４２】
詳細は後述するが、抜け止め部１６ｗには、蓋部材１５の腕部１５ｂの孔部１５ｇが嵌合するようになっている。この状態で、本体ユニット１６の前面に前カバー１１が取り付けられる。これにより、蓋部材１５は、抜け止め部１６ｗによって揺動自在に支持されると共に、抜け止め部１６ｗの先端部１６ｂの外面が前カバー１１の内面に当接しているので、孔部１５ｇが抜け止め部１６ｗに対して移動しても、該抜け止め部１６ｗが孔部１５ｇから離脱することがなく、両者の嵌合状態が常に維持されるようになっている。
【００４３】
本体ユニット１６の左側面において、上記抜け止め部１６ｗが形成されている部位の周囲近傍には、凹状空間部１６ｃが形成されている（図４参照）。この凹状空間部１６ｃは、後述するように蓋部材１５が揺動する際に、腕部１５ｂが配置され、その移動を許容するための空間部となっている。
【００４４】
また、抜け止め部１６ｗの先端部１６ｂの巾寸法Ｗ２（図４参照）は、基端部１６ａの巾寸法Ｗ１（図４参照）よりも小となるように形成されている（Ｗ２＜Ｗ１）。つまり、先端部１６ｂは、基端部１６ａよりも巾狭に形成されている。換言すれば、図４の矢印Ａ方向から見た場合における抜け止め部１６ｗの平面形状は、基端部１６ａから先端部１６ｂに向けて凸形状となっている。  
一方、抜け止め部１６ｗの先端部１６ｂの巾寸法Ｗ２（図４参照）は、蓋部材１５の孔部１５ｇの巾寸法Ｗ３（図５参照）よりも大となるように形成されている（Ｗ３＜Ｗ２）。  このような形状とすることによって、抜け止め部１６ｗと上記蓋部材１５の孔部１５ｇとを嵌合させたときに、該抜け止め部１６ｗは蓋部材１５の開位置を維持することができるようになっている。つまり、抜け止め部１６ｗの形状が、開位置保持機構の一部を形成している（詳細は後述する）。
【００４５】
次に、蓋部材１５は、図５〜図７に示すように、本カメラ１を構成する他の主要部材（１１，１２，１３，１４，１６）とは独立して形成され、本カメラ１の外装部材の一部として機能すると共に、上記外部機器接続用コネクタ配設部１ｚを開閉する機能を有する主要構成部材の一つである。
【００４６】
ここで、図５に示すＸ軸，Ｙ軸，Ｚ軸は、蓋部材１５がカメラ１に取り付けられ閉位置に配置された際のカメラ１の座標軸に一致するよう示している。
【００４７】
蓋部材１５は、遮蔽部となる蓋部１５ａと、ヒンジ部となる腕部１５ｂとによって主に構成されている。蓋部１５ａは、図７に示すように断面がチャンネル形状に形成され、該蓋部材１５の外面を主に覆うように形成されている。  
また、腕部１５ｂは、図７に示すように、さらに内側部位１５ｋと、二つの突出部１５ｂｂと、二つの係止突部１５ｆとを有して構成される。
【００４８】
このうち、内側部位１５ｋは、上記蓋部１５ａの内面を覆うように形成されている部位である。  
また、二つの突出部１５ｂｂは、上記内側部位１５ｋから図７のＸ２方向に延出した後、同図Ｚ１方向に延出するように形成され、断面がＬ字形状を有している。該Ｌ字形状のＺ１方向への延出部は、図５〜図７に示すように上記蓋部１５ａの外縁部位よりも外部に突出している。  
二つの係止突部１５ｆは、後述する閉位置ロック機構の一部を構成する部位である。この係止突部１５ｆは、図７に示すように上記内側部位１５ｋの外縁部であって、上記突出部１５ｂｂに対向する側の縁部に設けられ、上記蓋部１５ａの平面に直交する矢印Ｘ２方向に突出するように、かつ所定の巾寸法を有して、例えば略半円柱形状等に形成されている。なお、二つの係止突部１５ｆは、Ｙ方向に沿って所定の間隔を置いて、該蓋部材１５のＹ方向における両端縁部近傍に形成されている。
【００４９】
つまり、蓋部材１５は、二色成形で形成された合成樹脂（例えば熱可塑性プラスチック）からなる射出成形部品であって、上記蓋部１５ａと上記腕部１５ｂとは異なる材質により形成されている。蓋部１５ａの材質としては例えばポリカーボネート（ＰＣ；Polycarbonate）等が適用される。また、腕部１５ｂの材質としては、例えばポリウレタン系熱可塑性エラストマー（ＴＰＵ；Thermoplastic PolyUrethane）等のゴム状弾性体が適用される。
【００５０】
また、蓋部１５ａには、上記突出部１５ｂｂが配設される部位に対向する側の外縁部位に、図５に示すように蓋部１５ａの平面方向から矢印Ｚ２方向の外部に向けて突出しかつ図６，図７に示すように蓋部１５ａの外表面から矢印Ｚ２，Ｘ１方向の外側へと若干の角度を持って斜め方向に離間するように突出する指掛け部１５ｃが形成されている。この指掛け部１５ｃは、閉位置にある蓋部材１５を開状態とする際に、使用者が指等を掛けるために設けられる部位である。
【００５１】
腕部１５ｂは、上述したように内側部位１５ｋと、ここから延出する突出部１５ｂｂとによって構成される。このうち内側部位１５ｋには係止突部１５ｆ（閉位置ロック機構の一部。詳細は後述する）が二つ形成されている。  
一方、突出部１５ｂｂには、孔部１５ｇと、Ｘ方向位置規制突部１５ｄと、Ｙ方向位置規制突部１５ｅとが形成されている。  
孔部１５ｇは、図５に示すように、突出部１５ｂｂの中程の部位に穿設された孔であって、その形状は、矢印Ｚ１方向（蓋部材１５が揺動する方向に対し径方向）に向けた凸形状の孔として形成されている。  
Ｘ方向位置規制突部１５ｄは、図５に示すように、上記突出部１５ｂｂの先端寄りの外側隅部上面部に形成された突起であって、その突出方向は、図６，図７に示すように矢印Ｘ１方向に向けて突設されている。  
Ｙ方向位置規制突部１５ｅは、図５に示すように、突出部１５ｂｂの先端寄りの両側面部位に形成された突起であって、矢印Ｙ１，Ｙ２方向に向けてそれぞれ突設されている。
【００５２】
孔部１５ｇは、上述したように図５に示す平面形状において蓋部１５ａ寄りの基端部から先端部に向けて（即ち矢印Ｚ１方向に向けて）凸形状となっている。  
ここで、孔部１５ｇの先端側の孔巾寸法Ｗ３（図５参照）は、基端側孔巾寸法Ｗ４（図５参照）よりも巾狭に形成されている（Ｗ３＜Ｗ４）。  
そして、孔部１５ｇの先端側の巾寸法Ｗ３は、上記抜け止め部１６ｗの基端部１６ａの巾寸法Ｗ１よりも若干小となるように巾狭に形成されている（Ｗ３＜Ｗ１）。  
また、凹状空間部１６ｃの巾寸法Ｗ５は、腕部１５ｂの突出部１５ｂｂの巾寸法Ｗ６と両サイドのＹ方向位置規制突部１５ｅの突出寸法Ｗ７×２とを加えた寸法（Ｗ６＋Ｗ７×２）よりも若干小とするか、若しくは略同寸法となるように設定されている（Ｗ５≦（Ｗ６＋Ｗ７×２））。
【００５３】
このような形状とすることによって、抜け止め部１６ｗと上記蓋部材１５の孔部１５ｇとを嵌合させた状態で蓋部材１５を開位置に配置したときには、該孔部１５ｇは上述した抜け止め部１６ｗと協働して締まり嵌め（しまりはめ）状態（Ｗ３＜Ｗ１）になり、蓋部材１５の揺動を規制して、その開位置を維持することができるようになっている。ここで、孔部１５ｇの形状は、上記抜け止め部１６ｗの形状と共に開位置保持機構の一部を形成している。
【００５４】
さらに、Ｙ方向位置規制突部１５ｅは、蓋部材１５を開位置に配置したとき、腕部１５ｂの突出部１５ｂｂが凹状空間部１６ｃ内に挟み込まれることで、孔部１５ｇと抜け止め部１６ｗとの締まり嵌め状態（Ｗ８≧Ｗ５）を補佐する役目をしている。
【００５５】
一方、抜け止め部１６ｗと上記蓋部材１５の孔部１５ｇとを嵌合させた状態で蓋部材１５が開位置以外の位置にあるときには、該孔部１５ｇと抜け止め部１６ｗとは隙間嵌め（すきまはめ）状態（Ｗ４＞Ｗ１）となって、蓋部材１５の揺動を許容し自由に変位させ得る状態にしている。  
このように、本蓋装置においては、孔部１５ｇと抜け止め部１６ｗとによって構成される嵌合手段を有していることによって、蓋部材１５の開位置での安定保持を行っている。
【００５６】
また、Ｘ方向位置規制突部１５ｄは、蓋部材１５が閉位置に配置されたときには、先端が前カバー１１の内面に当接することで、該蓋部材１５のＸ方向への変位を規制している（後述する図９参照）。これにより、閉位置にある蓋部材１５が不安定になるのを抑止する役目をしている。
【００５７】
また、これから説明するように、本実施形態の蓋装置においては、蓋部材１５を閉位置に配置したときに、該閉位置を維持するための構成、即ち閉位置ロック機構を有している。
【００５８】
従来のカメラ等の機器においても、蓋部材を閉位置に配置したときに、その閉位置を維持するための構成を有しているものがある。  
例えば、従来の蓋装置においては、エラストマー等の合成樹脂によって形成される蓋部材から突出した爪形状の係止部材が、機器本体側に形成された凹形状の被係止部に嵌合することにより、クリック感を有しつつ、蓋部材を閉位置に維持するような構成のロック機構がある。
【００５９】
この種の構成を有する従来の蓋装置の閉位置ロック機構は、蓋部材側の係止部材と機器本体側の被係止部との嵌合によって構成されているので、上記係止部材と上記被係止部との位置関係がクリック感や係止力量に影響を及ぼすことになる。つまり、上記係止部材と上記被係止部との位置関係が高精度に維持されていなければ、クリック感や係止力量に個体差が生じてしまう可能性がある。  
例えば、係止部材を有する蓋部材と、この蓋部材を支持する機器側の構成部材と、被係止部を設けた機器側の構成部材とが、それぞれ別体に形成されて、これらを組み合わせて機器本体を構成するような場合には、上記三つの構成部材のそれぞれの工作精度の偏差が積算されることになって、上記係止部材と上記被係止部との間の位置関係を高精度に維持することができない可能性が高くなる。
【００６０】
そこで、従来においては、例えば、係止部材を有する蓋部材を支持する部位と、該係止部材を係止する被係止部を設ける部位とを、機器本体側における同一の構成部材上に設けることで、上記係止部材と上記被係止部との位置関係を高精度に維持する等の工夫がなされている。  
しかしながら、このような従来の手段では、設計上の制約が多くなってしまうという問題点がある。
【００６１】
このような点を考慮して、本実施形態の蓋装置における閉位置ロック機構においては、以下に示すような工夫を施すことにより、係止部材と被係止部との位置関係が部品工作精度等に起因してバラツキを生じても、これを吸収することができ、蓋部材を閉位置に配置したとき、その閉位置を常に確実に維持し得るように構成している。以下に、その構成を詳述する。
【００６２】
図８，図１０は、図１の機器（カメラ）の横断面図を示し、図８は、蓋部材が閉位置にある状態を、図１０は、蓋部材が開位置にある状態をそれぞれ示している。なお、図９，は、図８の［ＩＸ］部を拡大して示す要部拡大図である。図１１は、図１０の［ＸＩ］部を拡大して示す要部拡大図である。
【００６３】
上述したように、蓋部材１５の腕部１５ｂの内側部位１５ｋには、閉位置ロック機構の係止部材として機能する二つの係止突部１５ｆが形成されている。  
この二つの係止突部１５ｆは、蓋部材１５が閉位置に配置されたときに、該蓋部材１５の閉位置を維持するために設けられており、本蓋装置における閉位置ロック機構の一部を構成している。
【００６４】
係止突部１５ｆは、上述したように上記蓋部１５ａの平面に直交する矢印Ｘ２方向（図７参照）に突出するように形成されている。この係止突部１５ｆの先端部位は、例えば略円柱形状に、若しくは略三角柱形状でかつ頂点部断面がＲ形状となるように形成されている。そして、係止突部１５ｆの先端部位には、図９に示すようなクビレ（ボトルネック）形状が形成されている。さらに、該係止突部１５ｆの先端部位において、Ｚ２方向に突出する爪形状に形成されるクリック発生部１５ｆｃと、上記クビレ形状によって形成される導入部１５ｆｒとが設けられている。  
クリック発生部１５ｆｃは、蓋部材１５が閉位置に配置される際に係止突部１５ｆが後述する被係止孔１２ｆに嵌合したときにクリック感を発生させる部位である。導入部１５ｆｒは、係止突部１５ｆが後述する被係止孔１２ｆに嵌合するのをガイドするために設けられる部位である。
【００６５】
このような係止突部１５ｆに対して、蓋部材１５が閉位置に配置されたとき（図８の状態）に、上記二つの係止突部１５ｆが対向する位置であって、後カバー１２側の所定の部位には、図９，図１１に示すように、上記二つの係止突部１５ｆのそれぞれが嵌合する二つの被係止部である被係止孔１２ｆが形成されている。
【００６６】
被係止孔１２ｆは、幅広の開口を有し、蓋部材１５の閉方向（図１１のＸ２方向）に向けて鋭角となる錐状に形成されている。被係止孔１２ｆの開口の周縁部は、Ｒ面取り処理及びＣ面取り処理が施されている。詳しくは、図１１に示すように、当該開口の機器背面よりの部位にＣ面取り部１２ｆｃが形成され、機器前側寄りの部位にＲ面取り部１２ｆｒが形成されている。このような形状とすることによって、蓋部材１５が閉位置に配置される際の係止突部１５ｆの被係止孔１２ｆへの嵌合がスムースに行われるようになっている。
【００６７】
以上説明したように、本実施形態の蓋装置は、外装部材の一部を構成する蓋部材１５と、本カメラ１の基本的な構成部材のうち後カバー１２の一部である凹状部１２ｚ，被係止孔１２ｆ等の構成部と、本体ユニット１６の一部である凹状部１６ｚ，抜け止め部１６ｗ等の構成部等によって構成されている。  
このように構成された本実施形態の蓋装置において、蓋部材１５は、図１０に示す矢印Ｒ方向に揺動自在となっている。
【００６８】
次に、本実施形態の蓋装置の作用を、図８〜図１６を用いて以下に説明する。
【００６９】
図１２，図１４，図１６は、本実施形態の蓋装置を示す外観図であって、図１２は主に前面側を示す外観斜視図、図１４は蓋部材が閉状態の正面図、図１６は蓋部材が開状態の正面図である。また、図１３，図１５，図１７は、該蓋装置の一部を拡大して示す要部拡大図であって、図１３は図１２の［ＸＩＩＩ］部を拡大して示す要部拡大斜視図、図１５は図１４の［ＸＶ］部を拡大して示す要部拡大正面図、図１７は図１６の［ＸＶＩＩ］部を拡大して示す要部拡大正面図である。
【００７０】
まず、本実施形態の蓋装置の蓋部材１５が閉位置に配置されている状態（図１，図８，図９，図１２〜図１５）においては、  
蓋部材１５の腕部１５ｂの孔部１５ｇに本体ユニット１６の抜け止め部１６ｗが隙間嵌め状態で係合しており（図１３参照）、  
蓋部材１５の蓋部１５ａが外部機器接続用コネクタ配設部１ｚ（凹状部１２ｚ，１６ｚ）に収納されている（特に図１２，図１３参照）。  
このとき、蓋部材１５の係止突部１５ｆは、被係止孔１２ｆに嵌入した状態にある（図９参照）。  
また、抜け止め部１６ｗの先端部１６ｂの斜面の外面が前カバー１１の内面に当接している（不図示）。同時に、蓋部材１５の腕部１５ｂのＸ方向位置規制突部１５ｄが前カバー１１の内面に当接している（図９参照）。  
これにより、蓋部材１５は、安定した状態で外部機器接続用コネクタ配設部１ｚを外部から遮蔽している。
【００７１】
この閉位置にある蓋部材１５を開状態とするためには、本カメラ１の使用者は、蓋部材１５の指掛け部１５ｃに指等をかけて、該蓋部材１５を開方向（図９の矢印Ｒ１方向）へと変位させる力量を加える。
【００７２】
すると、まず蓋部材１５の係止突部１５ｆは、自身の弾性力に抗して変形して被係止孔１２ｆ内から抜去され、両者の嵌合状態が解除される。このとき、Ｘ方向位置規制突部１５ｄは、前カバー１１の内面に沿って図９の矢印Ｒ１方向に向けて凹状空間部１６ｃ内を移動する。この移動中においても、孔部１５ｇと抜け止め部１６ｗとは、常に隙間嵌め状態での係合が維持されている。
【００７３】
やがて、腕部１５ｂの先端部位が本体ユニット１６の外面（図９に示す符号１６ｄ）に当接する。腕部１５ｂの先端部位は、この本体ユニット１６の外面に沿って、さらに移動を続ける。このとき、腕部１５ｂの先端部位は、本体ユニット１６の外面によって押圧されて、該蓋部材１５を腕部１５ｂの延出方向に沿う方向であって、図５の矢印Ｚ２方向へと押し出す。このときにも、孔部１５ｇと抜け止め部１６ｗとの係合は、隙間嵌め状態が維持されている。
【００７４】
そして、蓋部材１５は、所定の開位置に配置されることになる。蓋部材１５が開位置に配置された状態（図２，図１０，図１１，図１６，図１７）において、蓋部材１５は、図１１，図１６に示すように、カメラ１の左側面において、蓋部１５ａの表面が矢印Ｘ１に略平行となるように配置される。  
このとき、腕部１５ｂの孔部１５ｇの先端側の部位に対し、抜け止め部１６ｗの基端部１６ａが嵌合される。上述したように、孔部１５ｇの先端側の巾寸法Ｗ３（図５参照）は、抜け止め部１６ｗの基端部１６ａの巾寸法Ｗ１よりも小となるように形成されている（Ｗ３＜Ｗ１）。したがって、このとき孔部１５ｇの先端部位と抜け止め部１６ｗの先端部１６ｂとが締まり嵌め状態となる（図１７参照）。
【００７５】
これに加えて、この状態においては、図１７に示すように腕部１５ｂの突出部１５ｂｂが凹状空間部１６ｃ内に嵌合している。上述したように、突出部１５ｂｂの両サイドにＹ方向位置規制突部１５ｅが設けられている。つまり、蓋部材１５を開位置に配置したとき、突出部１５ｂｂは、Ｙ方向位置規制突部１５ｅを介して凹状空間部１６ｃ内に嵌合し、挟み込まれる。
【００７６】
したがって、この状態にあるとき、孔部１５ｇと抜け止め部１６ｗとが締まり嵌め状態で嵌合して、抜け止め部１６ｗが孔部１５ｇを矢印Ｙ１，Ｙ２方向に押し広げようとする力量が孔部１５ｇに対して生じても、突出部１５ｂｂが凹状空間部１６ｃ内で嵌合規制されているので、孔部１５ｇと抜け止め部１６ｗとの締まり嵌め状態が補佐される。  
これにより、蓋部材１５は、図１１，図１６等に示す開位置を維持することができる。
【００７７】
この状態から、使用者が蓋部材１５を図１１の矢印Ｆ１方向に押圧すると、蓋部材１５は同図１１の矢印Ｒ２方向に揺動して、最終的に図９の閉位置に配置される状態になる。  
このように、蓋部材１５を閉位置に配置する際の作用を、以下に説明する。  
図９の閉位置の状態となる直前において、まず、蓋部材１５の係止突部１５ｆが後カバー１２の被係止孔１２ｆの開口部近傍に当接する。このとき、蓋部材１５は、上述した機構によって孔部１５ｇと抜け止め部１６ｗとの隙間嵌め状態にある。そして、この状態で、蓋部材１５は、カメラ１の左側面部から離脱しない状態にあって、かつカメラ１の左側面に対して孔部１５ｇの長手方向であり、抜け止め部１６ｗの延出方向に沿って移動可能となっている。
【００７８】
この構成によって、本実施形態の蓋装置においては、蓋部材１５の係止突部１５ｆと後カバー１２の被係止孔１２ｆとの位置関係が、部品工作精度等に起因するバラツキがによるズレが生じていたとしても、蓋部材１５自体が移動することにより、当該バラツキを吸収する。  
そのために、係止突部１５ｆの先端部位が被係止孔１２ｆの開口部近傍に当接したとき、導入部１５ｆｒがＲ面取り部１２ｆｒによって被係止孔１２ｆ内に導かれる。この状態で、使用者は、指掛け部１５ｃを外面側から図９に示す矢印Ｆ２方向に押圧する。すると、クリック発生部１５ｆｃは、弾性変形しながら被係止孔１２ｆ内に嵌入する。そして、クリック発生部１５ｆｃは、被係止孔１２ｆを通過した後、クリック音を発生させると共に、自身の弾性力によって形状を復帰させる。こうして、係止突部１５ｆが被係止孔１２ｆ内に嵌入することにより、蓋部材１５の閉位置は維持される。
【００７９】
以上説明したように上記一実施形態によれば、外装部材の一部を開閉可能とする蓋部材を備えたカメラ等の機器に適用する蓋装置において、蓋部材１５にはヒンジ部となる腕部１５ｂを設けると共に、本体ユニット１６側には上記腕部１５ｂを支持する抜け止め部１６ｗを設けている。そして、蓋部材１５を開位置に配置したときには、上記腕部１５ｂの孔部１５ｇと抜け止め部１６ｗの先端部１６ｂとが締まり嵌め状態となって、蓋部材１５の揺動を規制し蓋部材１５の開位置を保持するように構成している。また、蓋部材１５が開位置以外の位置にあるときには、腕部１５ｂの孔部１５ｇと抜け止め部１６ｗとが隙間嵌め状態となって蓋部材１５の揺動を許容するように構成している。
【００８０】
本実施形態の蓋部材においては、上述のように構成した嵌合手段（腕部１５ｂ，抜け止め部１６ｗ）を有していることによって、従来の蓋装置における操作性を損ねることなく、蓋部材１５の開位置における安定性を保持することができる。  
また、本実施形態における蓋部材１５の腕部１５ｂの一部である突出部１５ｂｂは、蓋部材１５の開状態において、抜け止め部１６ｗの基端部１６ａの側壁面１６ａａと、側壁面１６ａａと対向して凹状空間部１６ｃを挟む側壁面１６ｃｃの１つとで挟まれる挟持手段として上述したように機能する。
【００８１】
そして、蓋部材１５を所定の開位置に安定状態で保持できるので、蓋部材１５を開状態にしたときに行われる操作、即ち外部機器接続用コネクタへのコネクタ挿抜操作等に支障をきたすことなく、当該所望の操作を行なうことができる。よって、機器の操作性の向上に寄与することができる。
【００８２】
また、この構成によれば、ヒンジ部である腕部１５ｂとこれを支持する抜け止め部１６ｗとが前カバー１１によって遮蔽される部位に形成されているので、機器の外観デザインを損ねてしまうこともない。
【００８３】
また、蓋部材１５のヒンジ部となる腕部１５ｂと本体ユニット１６の抜け止め部１６ｗとは、閉位置から開位置の間で変位する開状態にあるとき、隙間嵌め状態で支持されるように構成したので、蓋部材１５が開閉操作によって揺動する際に、部材に対し屈曲等の無理な力量がかからないので、耐久性に優れた蓋装置を実現できる。
【００８４】
なお、上述の一実施形態においては、本発明の蓋装置を適用した機器として、カメラを例に挙げて説明しているが、この例に限られることはなく、カメラ以外の他の様々な機器に適用できる。  
また、上述の一実施形態においては、蓋装置を外部機器接続用コネクタ配設部に適用した場合の例を説明しているが、この例に限られることはない。本発明の蓋装置は、例えばカメラ等の機器における電池室，記録媒体収納室等に適用することも、全く同様に可能である。
【００８５】
本発明は上述した実施形態に限定されるものではなく、発明の主旨を逸脱しない範囲内において種々の変形や応用を実施し得ることが可能であることは勿論である。さらに、上記実施形態には、種々の段階の発明が含まれており、開示される複数の構成要件における適宜な組み合わせによって、種々の発明が抽出され得る。例えば、上記一実施形態に示される全構成要件から幾つかの構成要件が削除されても、発明が解決しようとする課題が解決でき、発明の効果が得られる場合には、この構成要件が削除された構成が発明として抽出され得る。
【産業上の利用可能性】
【００８６】
本発明は、カメラに限らず、他の形態の電子機器、例えば携帯電話，録音機器，電子手帳，パーソナルコンピュータ，ゲーム機器，テレビ，時計，ＧＰＳ（Global Positioning System）を利用したナビゲーション機器等、各種の電子機器に広く適用することができる。
【符号の説明】
【００８７】
１……カメラ
１ｙ……コネクタ開口
１ｚ……外部機器接続用コネクタ配設部
１１……前カバー
１２……後カバー
１２ｆ……被係止孔
１３……上カバー
１４……レンズ鏡筒
１５……蓋部材
１５ａ……蓋部
１５ｂ……腕部
１５ｂｂ……突出部
１５ｃ……指掛け部
１５ｄ……Ｘ方向位置規制突部
１５ｅ……Ｙ方向位置規制突部
１５ｆ……係止突部
１５ｇ……孔部
１５ｋ……内側部位
１６……本体ユニット
１６ｗ……抜け止め部
【図１】
2012141511.tif 000003
【図２】
2012141511.tif 000004
【図３】
2012141511.tif 000005
【図４】
2012141511.tif 000006
【図５】
2012141511.tif 000007
【図６】
2012141511.tif 000008
【図７】
2012141511.tif 000009
【図８】
2012141511.tif 000010
【図９】
2012141511.tif 000011
【図１０】
2012141511.tif 000012
【図１１】
2012141511.tif 000013
【図１２】
2012141511.tif 000014
【図１３】
2012141511.tif 000015
【図１４】
2012141511.tif 000016
【図１５】
2012141511.tif 000017
【図１６】
2012141511.tif 000018
【図１７】
2012141511.tif 000019